(57)【特許請求の範囲】
【請求項１】
所定範囲の照度を測定する明るさセンサ端末と、照明負荷を調光する調光装置と、前記明るさセンサ端末および前記調光装置との間で信号線を介した通信を行う照明制御装置とを備え、前記明るさセンサ端末は、前記照度の測定結果に応じた監視信号を送信し、前記照明制御装置は、前記明るさセンサ端末から受信した前記監視信号に基づいて、前記照明負荷の調光制御を行う制御信号を送信し、前記調光装置は、受信した前記制御信号に基づいて前記照明負荷を調光する照明制御システムであって、
前記明るさセンサ端末は、
前記照明制御装置からの要求信号を受信した場合に、前記照度の測定結果が所定の照度範囲を外れていれば、前記照度を前記照度範囲内に変化させる調光制御を指示する前記監視信号を送信するポーリング通信、および前記照度の測定結果が単位時間当たりに所定割合以上の変化をする割り込みトリガが発生した場合に、その照度変化を抑制させる調光制御を指示する前記監視信号を送信する割り込み通信を行う制御通信部と、
前記信号線の通信量を抑えるために、前記制御通信部による前記割り込み通信の実行を抑制する割り込み抑止期間を設ける割り込み通信抑止部とを備える
ことを特徴とする照明制御システム。
【請求項２】
前記割り込み通信抑止部は、前記割り込みトリガの所定時間あたりの発生回数が所定回数以上になった場合、前記割り込み抑止期間を設けることを特徴とする請求項１記載の照明制御システム。
【請求項３】
前記割り込み通信抑止部は、前記割り込みトリガの所定時間あたりの発生回数が多いほど、前記割り込み抑止期間の時間長さを長くすることを特徴とする請求項２記載の照明制御システム。
【請求項４】
前記割り込み通信抑止部は、前記割り込み抑止期間を設けた所定時間あたりの回数が規定回数に達した場合、前記割り込み抑止期間の時間長さを長くすることを特徴とする請求項２または３記載の照明制御システム。
【請求項５】
前記割り込み通信抑止部が前記割り込み抑止期間を設けたことを報知する報知部を備えることを特徴とする請求項１乃至４いずれか記載の照明制御システム。
【発明の詳細な説明】
【技術分野】
【０００１】
本発明は、照明制御システムに関するものである。
【背景技術】
【０００２】
従来、照明負荷を調光制御する照明制御システムが提案されている（例えば特許文献１参照）。
【０００３】
一例として、図４に示すように、室内の天井に照明器具１０１を配設し、同じ室内の窓際の天井に明るさセンサ端末１０２を配設し、照明器具１０１および明るさセンサ端末１０２は、２線式の信号線Ｌｓを介して照明制御装置１０３（親機）に接続している。なお、照明器具１０１の照明範囲Ｈ１１と、明るさセンサ端末１０２の照度測定範囲Ｈ１２とは一部重複している。
【０００４】
明るさセンサ端末１０２は、図５に示す構成を備えており、センサ素子１０２ａ、マイコン（マイクロコンピュータ）１０２ｂを具備する。センサ素子１０２ａは、直下の床面の照度に応じた電気信号を生成し、この電気信号を照度の測定結果（照度測定値）としてマイコン１０２ｂへ出力する。マイコン１０２ｂは、照度測定値に応じた監視信号を、照明制御装置１０３へ送信する。
【０００５】
照明制御装置１０３は、明るさセンサ端末１０２と照明器具１０１との対応付けを予め記憶しており、監視信号の送信元である明るさセンサ端末１０２に対応する照明器具１０１を調光制御する。例えば、それぞれの明るさセンサ端末１０２には、同じ室内に配置されている照明器具１０１が対応付けられる。
【０００６】
そして、照明制御装置１０３が明るさセンサ端末１０２から監視信号を取得する方法としては、ポーリング通信処理と割り込み通信処理とがあり、このポーリング通信処理、割り込み通信処理について、図６（ａ）〜（ｅ）のタイムチャートを用いて説明する。
【０００７】
まず、明るさセンサ端末１０２のマイコン１０２ｂは、所定のサンプリング周期Ｔ１２（例えば、Ｔ１２＝１０ｍｓ）で、センサ素子１０２ａの照度測定値を取得する（図６（ｄ）（ｅ）参照）。
【０００８】
そして、ポーリング通信処理において、照明制御装置１０３は、明るさセンサ端末１０２に対して所定の時間間隔Ｔ１１で要求信号Ｓ１１を送信する。要求信号Ｓ１１を受信したマイコン１０２ｂは、最新のサンプリング値である照度測定値が所定の照度範囲を外れている場合、照度測定値を照度範囲内に変化させる調光制御を指示する監視信号Ｓ１２を返信するポーリング通信を行う（図６（ｂ）参照）。なお、所定の照度範囲とは、図６（ｅ）に示すように、上限閾値Ｋ１１と下限閾値Ｋ１２との間に設定される。
【０００９】
一方、割り込み通信処理は、以下の手順で行われる。マイコン１０２ｂは、照度測定値が単位時間当たりに所定割合以上の変化をした場合、割り込みトリガが発生したと認識（検出）する。そして、マイコン１０２ｂは、割り込みトリガの発生時において、要求信号Ｓ１１の有無に関わらず、その照度変化を抑制させる調光制御を指示する監視信号Ｓ１３を照明制御装置１０３へ送信する割り込み通信を行う（図６（ｂ）参照）。具体的に、マイコン１０２ｂは、今回のサンプリングで取得した照度測定値が、前回のサンプリングで取得した照度測定値に対して±１０％以上変化している場合に、割り込み通信を行う。
【００１０】
なお、図６（ｃ）は、サンプリングで取得した照度測定値に対するマイコン１０２ｂの判定結果を示す。照度測定値が上限閾値Ｋ１１を上回っている場合または下限閾値Ｋ１２を下回っている場合は、ドット表示とし、照度測定値が単位時間当たりに所定割合以上の変化をした場合は、ハッチング表示とする。また、照度測定値が上限閾値Ｋ１１以下、且つ下限閾値Ｋ１２以上であり、さらに照度測定値が単位時間当たりに所定割合以上の変化をしていない場合は、白抜き表示とする。
【００１１】
図６において、タイミングｔｐ１０２のポーリング通信では、照度測定値が上限閾値Ｋ１１を上回っているので、マイコン１０２ｂは、調光率低下（光出力を低下させる）の調光制御を指示する監視信号Ｓ１２を照明制御装置１０３へ返信している。なお、タイミングｔｐ１０１，ｔｐ１０３のポーリング通信では、照度測定値が、上限閾値Ｋ１１以下、且つ下限閾値Ｋ１２以上であるので、調光率維持（光出力を維持させる）の調光制御を指示する監視信号Ｓ１２を照明制御装置１０３へ返信している。
【００１２】
また、タイミングｔｉ１０１の割り込み通信では、照度測定値が急激に低下している。したがって、マイコン１０２ｂは、照度測定値の急激な低下を抑制させるために、調光率増加（光出力を増加させる）の調光制御を指示する監視信号Ｓ１３を照明制御装置１０３へ送信している。
【００１３】
そして、照明制御装置１０３は、明るさセンサ端末１０２から受信した監視信号Ｓ１２，Ｓ１３に基づいて、照明負荷の調光制御を行う制御信号を、照明器具１０１へ送信する。照明器具１０１は、照明制御装置１０３から受信した制御信号に基づいて照明負荷を調光する。図６（ａ）は照明制御装置１０３からの制御信号による調光制御を示しており、「Ｕ」は、調光率を増加させており、「Ｄ」は、調光率を低下させている。なお、照明制御装置１０３は、調光率維持の場合、制御信号を送信しない。
【００１４】
照明制御システムは、上記のような照明制御を行うことによって、照度測定値が所定の照度範囲内に収まるように、照明器具１０１を調光制御する。
【００１５】
次に、本システムにおいて、照明器具１０１、明るさセンサ端末１０２、照明制御装置１０３が、２線式の信号線Ｌｓを介して行う通信について説明する。
【００１６】
まず、照明器具１０１、明るさセンサ端末１０２、照明制御装置１０３には、それぞれ個別のアドレスが設定されており、このアドレスを用いて互いを認識する。
【００１７】
照明制御装置１０３は、信号線Ｌｓに対して、図７（ａ）（ｂ）のようなフォーマットの伝送信号Ｖｓを送出する。この伝送信号Ｖｓは、スタートパルスＳＴ、モードデータ信号ＭＤ、アドレスデータ信号ＡＤ、制御データ信号ＣＤ、チェックサムデータ信号ＣＳ、信号返送期間ＷＴよりなる複極（±２４Ｖ）の時分割多重信号であり、パルス幅変調によってデータが伝送される。
【００１８】
スタートパルスＳＴは、信号送出開始を示す。モードデータ信号ＭＤは、信号モードを示す。アドレスデータ信号ＡＤは、照明器具１０１および明るさセンサ端末１０２を各別に呼び出すためのアドレスデータを伝送する。制御データ信号ＣＤは、要求信号、制御信号等のデータを伝送する。チェックサムデータ信号ＣＳは、伝送エラーを検出するための信号である。信号返送期間ＷＴは、照明器具１０１および明るさセンサ端末１０２から返送される信号を受信するタイムスロットである。
【００１９】
照明器具１０１、明るさセンサ端末１０２は、信号線Ｌｓを介して受信した伝送信号Ｖｓのアドレスデータが、予め設定されている自己のアドレスデータに一致すると、伝送信号Ｖｓから、要求信号、制御信号等のデータを取り込む。さらに照明器具１０１、明るさセンサ端末１０２は、伝送信号Ｖｓの信号返送期間ＷＴに同期して、返信データを電流モード信号（信号線Ｌｓの線間を適当な低インピーダンスを介して短絡することにより送出される信号）として返信する。
【００２０】
そして、照明制御装置１０３が、明るさセンサ端末２宛に伝送信号Ｖｓ（要求信号）を送信し、明るさセンサ端末２が、受信した伝送信号Ｖｓの信号返送期間ＷＴに監視信号を返信することによって、ポーリング通信が実行される。
【００２１】
また、照明制御装置１０３は、ダミー信号送信手段および割り込み信号処理手段が設けられる。ダミー信号送信手段は、モードデータ信号ＭＤをダミーモードとしたダミー伝送信号を常時送出する。また、割り込み信号処理手段は、明るさセンサ端末１０２が割り込み通信開始時に送信した図７（ｃ）の割り込み信号Ｖｉを受信したときに、割り込み信号Ｖｉを発生した明るさセンサ端末１０２を検索する。そして、割り込み信号処理手段は、検索した明るさセンサ端末１０２に設定されているアドレスデータを、この明るさセンサ端末１０２から返信データ（監視データ）として返信させる。すなわち、照明制御装置１０３は、常時、ダミー信号送信手段によってダミー伝送信号を信号線Ｌｓに送出し、明るさセンサ端末１０２の割り込み通信開始時に発生した割り込み信号Ｖｉをダミー伝送信号のスタートパルスＳＴに同期して検出する。そして、照明制御装置１０３は、割り込み処理手段によってモードデータ信号ＭＤをアドレス確認モードとした伝送信号Ｖｓを信号線Ｌｓに送出する。一方、明るさセンサ端末１０２は、割り込み信号Ｖｉの発生時に割り込みフラグを設定する。割り込みフラグを設定した明るさセンサ端末１０２は、モードデータ信号ＭＤがアドレス確認モードである伝送信号Ｖｓを受信すると、この伝送信号Ｖｓの信号返送期間ＷＴに同期して、自己に設定されているアドレスデータ、および監視信号を返信データとして返信する。このようにして照明制御装置１０３は、割り込み信号Ｖｉを発生した明るさセンサ端末１０２のアドレスおよび監視信号を取得することができる。
【００２２】
このように、上述のダミー信号送信手段および割り込み信号処理手段を有する照明制御装置１０３に対して、明るさセンサ端末２が割り込み信号Ｖｉを送信することによって、割り込み通信が実行される。
【００２３】
そして、照明制御装置１０３は、照明器具１０１と明るさセンサ端末１０２とを、それぞれのアドレスを用いて対応付けた関係テーブルを有している。そして、照明制御装置１０３は、割り込み信号Ｖｉを発生した明るさセンサ端末１０２のアドレスおよび監視信号を取得すると、上述の関係テーブルを参照して、この明るさセンサ端末１０２に対応する照明器具１０１に対して、照明負荷の調光制御を行う制御信号を送信する。照明器具１０１は、受信した制御信号に基づいて照明負荷を調光する。
【００２４】
この種の照明制御システムでは、照明制御装置１０３が、照明器具１０１のアドレスと明るさセンサ端末１０２のアドレスとの対応関係を関係テーブルによって管理している。そして、１台の明るさセンサ端末１０２のアドレスを、１台の照明器具１０１のアドレスに対応付けるだけでなく、１台の明るさセンサ端末１０２のアドレスを、複数台の照明器具１０１のアドレスに対応付けることも可能である。後者のようにアドレスを設定すれば、例えば、１台の明るさセンサ端末１０２によって、複数の照明器具１０１を一括して制御することが可能になる。
【先行技術文献】
【特許文献】
【００２５】
【特許文献１】特開２００５−６３８０４号公報
【発明の概要】
【発明が解決しようとする課題】
【００２６】
照明器具１０１の照明負荷が寿命末期等の要因で点滅し、点灯と消灯とを交互に繰り返す場合、照明器具１０１の周囲照度が短い周期で明暗を交互に繰り返す。この照明負荷の点滅時における通信処理について、図８（ａ）〜（ｅ）のタイムチャートを用いて説明する。
【００２７】
まず、タイミングｔｐ２０２のポーリング通信では、照度測定値が上限閾値Ｋ１１を上回っているので、マイコン１０２ｂは、調光率低下の調光制御を指示する監視信号Ｓ１２を照明制御装置１０３へ返信している。
【００２８】
なお、タイミングｔｐ２０１，ｔｐ２０３のポーリング通信では、照度測定値が、上限閾値Ｋ１１以下、且つ下限閾値Ｋ１２以上である。したがって、マイコン１０２ｂは、調光率維持の調光制御を指示する監視信号Ｓ１２を照明制御装置１０３へ返信している。
【００２９】
また、図８では、照明器具１０１の照明負荷が寿命末期等の要因で点滅して、明るさセンサ端末１０２の照度測定値が短い周期で高低を交互に繰り返しており、割り込み通信がタイミングｔｉ２０１〜ｔｉ２０６において頻繁に発生している。
【００３０】
なお、タイミングｔｉ２０１，ｔｉ２０３，ｔｉ２０４の割り込み通信では、照度測定値が急激に増加しており、マイコン１０２ｂは、照度測定値の急激な増加を抑制させるために、調光率低下の調光制御を指示する監視信号Ｓ１３を照明制御装置１０３へ送信している。
【００３１】
タイミングｔｉ２０２，ｔｉ２０５，ｔｉ２０６の割り込み通信では、照度測定値が急激に低下しており、マイコン１０２ｂは、照度測定値の急激な低下を抑制させるために、調光率増加の調光制御を指示する監視信号Ｓ１３を照明制御装置１０３へ送信している。
【００３２】
このように、照明器具１０１の照明負荷が寿命末期等の要因で点滅を繰り返した場合、割り込み通信が頻繁に発生するため、信号線Ｌｓの通信量が増大して、割り込み通信によって信号線Ｌｓが占有されてしまい、信号線Ｌｓ上の通信に支障をきたす虞がある。
【００３３】
本発明は、上記事由に鑑みてなされたものであり、その目的は、照明負荷が寿命末期等の要因で点滅した場合でも、割り込み通信による信号線の占有を抑制できる照明制御システムを提供することにある。
【課題を解決するための手段】
【００３４】
本発明の照明制御システムは、所定範囲の照度を測定する明るさセンサ端末と、照明負荷を調光する調光装置と、前記明るさセンサ端末および前記調光装置との間で信号線を介した通信を行う照明制御装置とを備え、前記明るさセンサ端末は、前記照度の測定結果に応じた監視信号を送信し、前記照明制御装置は、前記明るさセンサ端末から受信した前記監視信号に基づいて、前記照明負荷の調光制御を行う制御信号を送信し、前記調光装置は、受信した前記制御信号に基づいて前記照明負荷を調光する照明制御システムであって、前記明るさセンサ端末は、前記照明制御装置からの要求信号を受信した場合に、前記照度の測定結果が所定の照度範囲を外れていれば、前記照度を前記照度範囲内に変化させる調光制御を指示する前記監視信号を送信するポーリング通信、および前記照度の測定結果が単位時間当たりに所定割合以上の変化をする割り込みトリガが発生した場合に、その照度変化を抑制させる調光制御を指示する前記監視信号を送信する割り込み通信を行う制御通信部と、前記信号線の通信量を抑えるために、前記制御通信部による前記割り込み通信の実行を抑制する割り込み抑止期間を設ける割り込み通信抑止部とを備えることを特徴とする。
【００３５】
この発明において、前記割り込み通信抑止部は、前記割り込みトリガの所定時間あたりの発生回数が所定回数以上になった場合、前記割り込み抑止期間を設けることが好ましい。
【００３６】
この発明において、前記割り込み通信抑止部は、前記割り込みトリガの所定時間あたりの発生回数が多いほど、前記割り込み抑止期間の時間長さを長くすることが好ましい。
【００３７】
この発明において、前記割り込み通信抑止部は、前記割り込み抑止期間を設けた所定時間あたりの回数が規定回数に達した場合、前記割り込み抑止期間の時間長さを長くすることが好ましい。
【００３８】
この発明において、前記割り込み通信抑止部が前記割り込み抑止期間を設けたことを報知する報知部を備えることが好ましい。
【発明の効果】
【００３９】
以上説明したように、本発明では、照明負荷が寿命末期等の要因で点滅した場合でも、割り込み通信による信号線の占有を抑制できるという効果がある。
【図面の簡単な説明】
【００４０】
【図１】実施形態のシステム構成を示すブロック図である。
【図２】（ａ）〜（ｅ）同上の通信処理を示すタイムチャート図である。
【図３】（ａ）〜（ｅ）同上の割り込み抑止期間の設定処理を示すタイムチャート図である。
【図４】従来のシステム構成を示すブロック図である。
【図５】従来の明るさセンサ端末を示すブロック図である。
【図６】（ａ）〜（ｅ）従来の通信処理を示すタイムチャート図である。
【図７】（ａ）〜（ｃ）通信に用いる信号を示すフォーマット図である。
【図８】（ａ）〜（ｅ）従来の通信処理を示す別のタイムチャート図である。
【発明を実施するための形態】
【００４１】
以下、本発明の実施の形態を図面に基づいて説明する。
【００４２】
（実施形態）
図１は、本実施形態の照明制御システムの構成を示し、室内の天井に照明器具１を配設し、同じ室内の窓際の天井に明るさセンサ端末２を配設し、照明器具１および明るさセンサ端末２は、２線式の信号線Ｌｓを介して照明制御装置３（親機）に接続している。なお、照明器具１の照明範囲Ｈ１と、明るさセンサ端末２の照度測定範囲Ｈ２とは一部重複している。
【００４３】
照明器具１は、調光装置１ａと、照明負荷１ｂとを備える。照明負荷１ｂは、蛍光灯、ＬＥＤ等の光源であり、調光装置１ａは、照明負荷１ｂに供給する点灯電力を可変として調光する機能を有する。
【００４４】
明るさセンサ端末２は、センサ素子２ａと、マイコン（マイクロコンピュータ）２ｂとを備える。センサ素子２ａは、直下の床面の照度に応じた電気信号を生成し、この電気信号を照度の測定結果（照度測定値）としてマイコン２ｂへ出力する。マイコン２ｂは、制御通信部２１と、割り込み通信抑止部２２とを構成しており、照度測定値に応じた監視信号を、照明制御装置３へ送信する。なお、制御通信部２１、割り込み通信抑止部２２は、マイコン２ｂがソフトウェアを実行することによって構成されるものである。
【００４５】
照明制御装置３は、明るさセンサ端末２と照明器具１との対応付けを予め記憶しており、監視信号の送信元である明るさセンサ端末２に対応する照明器具１を調光制御する。例えば、それぞれの明るさセンサ端末２には、同じ室内に配置されている照明器具１が対応付けられる。
【００４６】
そして、照明制御装置３が明るさセンサ端末２から監視信号を取得する方法としては、ポーリング通信処理と割り込み通信処理とがあり、このポーリング通信処理、割り込み通信処理について、図２（ａ）〜（ｅ）のタイムチャートを用いて説明する。
【００４７】
まず、明るさセンサ端末２のマイコン２ｂは、所定のサンプリング周期Ｔ２（例えば、Ｔ２＝１０ｍｓ）で、センサ素子２ａの照度測定値を取得する（図２（ｄ）（ｅ）参照）。
【００４８】
そして、ポーリング通信処理において、照明制御装置３は、明るさセンサ端末２に対して所定の時間間隔Ｔ１で要求信号Ｓ１を送信する。要求信号Ｓ１を受信したマイコン２ｂの制御通信部２１は、最新のサンプリング値である照度測定値が所定の照度範囲を外れている場合、照度測定値を照度範囲内に変化させる調光制御を指示する監視信号Ｓ２を返信するポーリング通信を行う（図２（ｂ）参照）。なお、所定の照度範囲とは、図２（ｅ）に示すように、上限閾値Ｋ１と下限閾値Ｋ２との間に設定される。
【００４９】
一方、割り込み通信処理は、以下の手順で行われる。マイコン２ｂの制御通信部２１は、照度測定値が単位時間当たりに所定割合以上の変化をした場合、割り込みトリガが発生したと認識（検出）する。そして、制御通信部２１は、割り込みトリガの発生時において、要求信号Ｓ１の有無に関わらず、その照度変化を抑制させる調光制御を指示する監視信号Ｓ３を照明制御装置３へ送信する割り込み通信を行う（図２（ｂ）参照）。具体的に、制御通信部２１は、今回のサンプリングで取得した照度測定値が、前回のサンプリングで取得した照度測定値に対して±１０％以上変化している場合に、割り込み通信を行う。
【００５０】
なお、図２（ｃ）は、サンプリングで取得した照度測定値に対する制御通信部２１の判定結果を示す。照度測定値が上限閾値Ｋ１を上回っている場合または下限閾値Ｋ２を下回っている場合は、ドット表示とし、照度測定値が単位時間当たりに所定割合以上の変化をした場合は、ハッチング表示とする。また、照度測定値が上限閾値Ｋ１以下、且つ下限閾値Ｋ２以上であり、さらに照度測定値が単位時間当たりに所定割合以上の変化をしていない場合は、白抜き表示とする。
【００５１】
図２において、タイミングｔｐ２のポーリング通信では、照度測定値が上限閾値Ｋ１を上回っているので、制御通信部２１は、調光率低下（光出力を低下させる）の調光制御を指示する監視信号Ｓ２を照明制御装置３へ返信している。なお、タイミングｔｐ１，ｔｐ３のポーリング通信では、照度測定値が、上限閾値Ｋ１以下、且つ下限閾値Ｋ２以上であるので、制御通信部２１は、調光率維持（光出力を維持させる）の調光制御を指示する監視信号Ｓ２を照明制御装置３へ返信している。
【００５２】
また、タイミングｔｉ１の割り込み通信では、照度測定値が急激に低下しており、制御通信部２１は、照度測定値の急激な低下を抑制させるために、調光率増加（光出力を増加させる）の調光制御を指示する監視信号Ｓ３を照明制御装置３へ送信している。
【００５３】
そして、照明制御装置３は、明るさセンサ端末２から受信した監視信号Ｓ２，Ｓ３に基づいて、照明負荷１ｂの調光制御を行う制御信号を、照明器具１へ送信する。
【００５４】
照明器具１の調光装置１ａは、照明制御装置３から受信した制御信号に基づいて照明負荷１ｂを調光する。図２（ａ）は照明制御装置３からの制御信号による調光制御を示しており、「Ｕ」は、調光率を増加させており、「Ｄ」は、調光率を低下させている。なお、照明制御装置３は、調光率維持の場合、制御信号を送信しない。
【００５５】
照明制御システムは、上記のような照明制御を行うことによって、照度測定値が所定の照度範囲内に収まるように、照明器具１を調光制御する。
【００５６】
また、本システムにおいて、照明器具１、明るさセンサ端末２、照明制御装置３が、２線式の信号線Ｌｓを介して行う通信は、従来と同様に図７（ａ）（ｂ）に示すフォーマットの伝送信号Ｖｓ、割り込み信号Ｖｉを用いる。さらに、照明器具１、明るさセンサ端末２、照明制御装置３には、それぞれ個別のアドレスが設定されており、このアドレスを用いて互いを認識する。なお、上記伝送信号Ｖｓ、割り込み信号Ｖｉ、アドレスを用いた通信の詳細は、従来と同様であり、説明は省略する。
【００５７】
次に、照明器具１の照明負荷１ｂが寿命末期等の要因で点滅し、点灯と消灯とを交互に繰り返す場合、照明器具１の周囲照度が短い周期で明暗を交互に繰り返す。この照明負荷１ｂの点滅時における通信処理について、図３（ａ）〜（ｅ）のタイムチャートを用いて説明する。
【００５８】
まず、タイミングｔｐ１２のポーリング通信では、照度測定値が上限閾値Ｋ１を上回っているので、制御通信部２１は、調光率低下の調光制御を指示する監視信号Ｓ２を照明制御装置３へ送信している。
【００５９】
なお、タイミングｔｐ１１，ｔｐ１３，ｔｐ１４のポーリング通信では、照度測定値が、上限閾値Ｋ１以下、且つ下限閾値Ｋ２以上である。したがって、制御通信部２１は、調光率維持の調光制御を指示する監視信号Ｓ２を照明制御装置３へ返信している。
【００６０】
そして、照明器具１の照明負荷１ｂが寿命末期等の要因で点滅して、明るさセンサ端末２の照度測定値が短い周期で高低を交互に繰り返しており、制御通信部２１は、タイミングｔｉ１１〜ｔｉ１８において、割り込みトリガが発生していると認識する。しかしながら、全ての割り込みトリガに対応して割り込み通信を実行すると、信号線Ｌｓの通信量が増大して、割り込み通信によって信号線Ｌｓが占有されてしまい、信号線Ｌｓ上の通信に支障をきたす虞がある。
【００６１】
そこで、マイコン２ｂの割り込み通信抑止部２２は、信号線Ｌｓの通信量を抑えるために、制御通信部２１による前記割り込み通信の実行を抑制する割り込み抑止期間Ｔ３を設ける。具体的に、割り込み通信抑止部２２は、割り込みトリガの所定時間（例えば、１秒間）あたりの発生回数が所定回数以上（例えば、５回以上）になった場合、割り込み抑止期間Ｔ３（例えば、１０秒間）を設ける。制御通信部２１は、割り込み抑止期間Ｔ３では、割り込みトリガが発生したとしても、割り込み通信の実行を禁止し、割り込み通信の頻繁な実行を防止する。
【００６２】
例えば、図３において、所定時間（例えば、１秒間）に収まるタイミングｔｉ１１〜ｔｉ１５のそれぞれにおいて割り込みトリガが発生した場合、５回目のタイミングｔｉ１５から割り込み抑止期間Ｔ３を設定している。
【００６３】
そして、割り込み抑止期間Ｔ３内であるタイミングｔｉ１５，ｔｉ１６，ｔｉ１７では、割り込みトリガが発生するものの、制御通信部２１は、割り込み通信を実行しない。
【００６４】
したがって、照明器具１の照明負荷１ｂが寿命末期等の要因で点滅して、明るさセンサ端末２の照度測定値が短い周期で高低を交互に繰り返した場合でも、割り込み通信の頻繁な実行を防止できる。而して、本システムでは、割り込み通信による信号線Ｌｓの占有（通信帯域の圧迫）を抑制できる。なお、割り込み抑止期間Ｔ３では、全ての割り込み通信の実行を禁止しているが、割り込み通信の実行を間引く構成であってもよい。
【００６５】
一方、割り込み抑止期間Ｔ３外であるタイミングｔｉ１１，ｔｉ１３，ｔｉ１４，ｔｉ１８の割り込み通信では、照度測定値が急激に増加している。したがって、制御通信部２１は、照度測定値の急激な増加を抑制させるために、調光率低下の調光制御を指示する監視信号Ｓ３を照明制御装置３へ送信している。さらに、割り込み抑止期間Ｔ３外であるタイミングｔｉ１２の割り込み通信では、照度測定値が急激に低下しており、制御通信部２１は、照度測定値の急激な低下を抑制させるために、調光率増加の調光制御を指示する監視信号Ｓ３を照明制御装置３へ送信している。
【００６６】
また、割り込み通信抑止部２２は、割り込み抑止期間Ｔ３の所定時間あたりの設定回数が、規定回数（例えば、３回）に達した場合、割り込み抑止期間Ｔ３の時間長さを延長（例えば、１０秒→６０秒）してもよい。したがって、割り込み抑止期間Ｔ３が頻繁に設定される場合には、割り込み抑止期間Ｔ３の１回あたりの時間長さを延長するので、実際の割り込み頻度に応じて適切な時間長さを有する割り込み抑止期間Ｔ３を設定できる。また、割り込み抑止期間Ｔ３の頻繁な設定処理を抑制できるので、割り込み通信抑止部２２の処理負荷を低減することもできる。
【００６７】
さらに、割り込み通信抑止部２２は、割り込み抑止期間Ｔ３を設ける場合、割り込みトリガの所定時間（例えば、１秒間）あたりの発生回数が多いほど、割り込み抑止期間Ｔ３の時間長さを段階的または連続的に長くしてもよい。この場合も、実際の割り込み頻度に応じて適切な時間長さを有する割り込み抑止期間Ｔ３を設定できる。
【００６８】
また、上述の構成では、割り込み抑止期間Ｔ３を設定するか否かの判断を、明るさセンサ端末２が行っている。しかしながら、明るさセンサ端末２から照明制御装置３に対する割り込み通信が、所定時間（例えば、１秒間）あたりに所定回数以上（例えば、５回以上）あった場合、照明制御装置３が、明るさセンサ端末２に対して、割り込み抑止期間Ｔ３の設定を指示してもよい。この場合、明るさセンサ端末２は、照明制御装置３からの指示を受信して、一定期間（例えば、１０秒間）が経過した後に割り込み抑止期間Ｔ３を設定する。さらに、割り込み抑止期間Ｔ３の所定時間あたりの設定回数が、規定回数（例えば、３回）に達した場合、照明制御装置３が、明るさセンサ端末２に対して、割り込み抑止期間Ｔ３の時間長さを延長（例えば、１０秒→６０秒）するように指示してもよい。また、照明制御装置３は、割り込みトリガの所定時間（例えば、１秒間）あたりの発生回数が多いほど、明るさセンサ端末２に対して割り込み抑止期間Ｔ３を長くするように指示してもよい。
【００６９】
次に、割り込み抑止期間Ｔ３を設定したことを報知する報知手段を備えてもよい。例えば、図１に示すように、ブザー、ランプ等をリレー駆動する報知部４を信号線Ｌｓに接続する。そして、照明制御装置３は、報知部４の駆動リレーのアドレスを明るさセンサ端末２のアドレスに予め対応付けておく。そして、照明制御装置３は、明るさセンサ端末２の割り込み通信抑止部２２が割り込み抑止期間Ｔ３を設定したか否かを監視しておき、割り込み抑止期間Ｔ３が設定された場合、報知部４へ第１の報知要求を送信する。第１の報知要求を受信した報知部４は、駆動リレーをオンして、ブザー、ランプ等を駆動することによって、割り込み抑止期間Ｔ３を設定したことをユーザに報知する。
【００７０】
さらに、照明制御装置３は、割り込み通信抑止部２２が割り込み抑止期間Ｔ３を延長したことを検知すると、報知部４へ第２の報知要求を送信する。第２の報知要求を受信した報知部４は、駆動リレーをオンして、ブザー、ランプ等を駆動することによって、割り込み抑止期間Ｔ３の延長をユーザに報知する。
【００７１】
したがって、ユーザは、割り込み抑止期間Ｔ３の設定状況を認識でき、さらには照明負荷１ｂが寿命末期等の要因で点滅していることも認識できる。
【００７２】
なお、割り込み抑止期間Ｔ３の設定、延長を報知する報知手段は、明るさセンサ端末２に設けられてもよい。
【符号の説明】
【００７３】
１  照明器具
１ａ  調光装置
１ｂ  照明負荷
２  明るさセンサ端末
２ａ  センサ素子
２ｂ  マイコン
２１  制御通信部
２２  割り込み通信抑止部
３  照明制御装置
Ｌｓ  信号線
【図１】
0005842097.tif 000002
【図２】
0005842097.tif 000003
【図３】
0005842097.tif 000004
【図４】
0005842097.tif 000005
【図５】
0005842097.tif 000006
【図６】
0005842097.tif 000007
【図７】
0005842097.tif 000008
【図８】
0005842097.tif 000009